(57)【要約】【課題】一覧表示された縮小画像を、操作者が任意に選択して拡大表示することが可能な端末装置及びこれを用いた電子ペンシステムを提供する。【解決手段】端末装置は、手書きストロークが描かれた用紙の縮小画像を一覧表示すると共に、縮小画像ごと又は手書きストロークの記入者ごとに、縮小画像を拡大表示した拡大画像を表示するための選択欄を表示する一覧表示手段と、選択された選択欄に対応する縮小画像の拡大画像を表示する拡大表示手段とを備える。【選択図】図１４
0003169604.tif 000002
【実用新案登録請求の範囲】
【請求項１】
手書きストロークが描かれた用紙の縮小画像を一覧表示すると共に、前記縮小画像ごと又は前記手書きストロークの記入者ごとに、前記縮小画像を拡大した拡大画像を表示するための選択欄を表示する一覧表示手段と、
選択された前記選択欄に対応する前記縮小画像の拡大画像を表示する拡大表示手段と
を備えることを特徴とする端末装置。
【請求項２】
前記拡大表示手段は、前記選択欄が選択された場合、当該選択欄に対応する前記縮小画像の拡大画像を表示するウィンドウを、即時に生成して表示することを特徴とする請求項１に記載の端末装置。
【請求項３】
前記拡大表示手段は、前記選択欄が選択された場合であって、当該選択欄とは別の選択欄に対応する前記縮小画像の拡大画像を表示するウィンドウが既に表示されていた場合、当該ウィンドウに並べて、選択された前記選択欄に対応する前記縮小画像の拡大画像を表示するウィンドウを、即時に生成して表示することを特徴とする請求項２に記載の端末装置。
【請求項４】
前記一覧表示手段は、前記縮小画像を拡大表示した拡大画像を左右に並べて表示することを指定するメニューと、前記拡大画像を上下に並べて表示することを指定するメニューとを表示し、
前記拡大表示手段は、いずれかの前記メニューが選択された場合、選択された前記選択欄に対応する前記縮小画像の拡大画像を、選択されたメニューの指定に基づき表示することを特徴とする請求項１に記載の端末装置。
【請求項５】
入力手段による入力に基づき前記拡大画像上にストロークを描くストローク描画手段をさらに備え、
前記拡大表示手段は、前記拡大画像を表示すると共に所定のマークを表示し、当該マークが選択された場合、前記ストロークの色又は／及び線幅を指定するためのツールバーを表示することを特徴とする請求項１乃至４のいずれか一項に記載の端末装置。
【請求項６】
入力手段による入力に基づき前記拡大画像上にストロークを描くストローク描画手段を備え、
前記一覧表示手段は、前記拡大画像上に描いたストロークの表示及び非表示の切り替えを指定する表示切替ボタンを表示し、
前記ストローク描画手段は、前記表示切替ボタンが選択されているか否かに基づき、前記拡大画像上に描いたストロークの表示及び非表示の切り替えを行うことを特徴とする請求項１乃至４のいずれか一項に記載の端末装置。
【請求項７】
入力手段による入力に基づき、前記縮小画像の表示範囲を指定する範囲指定手段を備え、
前記一覧表示手段は、前記縮小画像を、前記範囲指定手段により指定された表示範囲のみ表示して一覧表示し、
前記拡大表示手段は、選択された前記選択欄に対応する縮小画像の拡大画像を、前記範囲指定手段により指定された表示範囲のみ表示することを特徴とする請求項１乃至６のいずれか一項に記載の端末装置。
【請求項８】
前記拡大表示手段は、選択された前記選択欄に対応する縮小画像の拡大画像を、前記範囲指定手段により指定された表示範囲のみ表示したウィンドウを生成して表示し、
当該ウィンドウは、前記拡大画像の表示範囲を移動させるためのインターフェースが設けられていることを特徴とする請求項７に記載の端末装置。
【請求項９】
それぞれ異なるコード化パターンが印刷された複数の用紙と、
前記用紙に印刷されたコード化パターンを読み取ってペン先部の位置座標を演算し、当該位置座標と固有のペンＩＤとを含む記入情報を送信する複数の電子ペンと、
前記電子ペンから記入情報を受信する請求項１乃至８のいずれか一項に記載の端末装置とを備える電子ペンシステムであって、
前記端末装置の前記一覧表示手段は、
前記電子ペンから受信した記入情報に基づき再現した手書きストロークを描いた前記用紙の縮小画像を一覧表示することを特徴とする電子ペンシステム。
【考案の詳細な説明】
【技術分野】
【０００１】
本考案は、画像を表示する端末装置と、これを用いた電子ペンシステムに関する。
【背景技術】
【０００２】
近年、記入した情報を電子化する電子ペンが開発されており、その代表的なものとしてスウェーデンのＡｎｏｔｏ社が開発した「アノトペン（Ａｎｏｔｏ  ｐｅｎ）」が知られている。アノトペンは、所定のドットパターンが印刷された専用紙とともに使用される。アノトペンは、ペン先部に、文字等を書くための通常のインクカートリッジに加えて、専用紙に印刷されたドットパターンを撮像するための小型カメラと、撮像したドットパターンから専用紙における位置座標を演算するプロセッサと、演算された位置座標等を外部機器へ送信するデータ通信ユニットとを搭載している。ユーザが専用紙上にアノトペンで文字等を書いたり、専用紙上に図案化されている画像にチェックマークを記入したりすると、ペンの移動に伴って小型カメラが専用紙に印刷されたドットパターンを撮像し、プロセッサによって演算された連続する位置座標から、ユーザが書き込んだ文字、画像などの記入情報が認識される。そして、この記入情報が、データ通信ユニットによりアノトペンから近くのパーソナルコンピュータや携帯電話などの端末装置に送信される（例えば、特許文献１参照）。
【０００３】
また、特許文献２には、ドットパターンに対向する電子ペンの角度に起因するドットの画像上の配列を補正する回転補正処理機能について記載されている。さらに、特許文献３には、電子ペンを用いた協働学習システムにおいて、電子ペンの記入情報に基づき再現した解答用紙を個別に表示したり、一覧表示したりする技術が開示されている。
【先行技術文献】
【特許文献】
【０００４】
【特許文献１】特許第３８７２４９８号公報
【特許文献２】特表２００３−５２９８５３号公報
【特許文献３】特開２００９−２７６４７９号公報
【考案の概要】
【考案が解決しようとする課題】
【０００５】
各ユーザが電子ペン等により記入した解答用紙等を再現した縮小画像を端末装置上で一覧表示した際に、一覧表示された縮小画像のうち特定の縮小画像を指定し、指定した縮小画像を比較等のために拡大して端末装置の操作者が閲覧できると便宜である。そこで、本考案は、一覧表示された縮小画像を、操作者が任意に選択して拡大表示することが可能な端末装置及びこれを用いた電子ペンシステムを提供することを主な目的とする。
【課題を解決するための手段】
【０００６】
本考案の１つの観点では、端末装置は、手書きストロークが描かれた用紙の縮小画像を一覧表示すると共に、前記縮小画像ごと又は前記手書きストロークの記入者ごとに、前記縮小画像を拡大表示した拡大画像を表示するための選択欄を表示する一覧表示手段と、選択された前記選択欄に対応する前記縮小画像の拡大画像を表示する拡大表示手段とを備える。
【０００７】
この構成により、端末装置は、手書きストロークが描かれた用紙の縮小画像を一覧表示すると共に、縮小画像ごと又は手書きストロークの記入者ごとに、縮小画像を拡大した拡大画像を表示するための選択欄を表示する。ここで、「手書きストロークの記入者ごとに、縮小画像を拡大した拡大画像を表示するための選択欄を表示する」とは、複数の用紙が一人の記入者に対応する場合には、これら複数の用紙の縮小画像につき一つの選択欄を表示することを指す。そして、端末装置は、いずれかの選択欄が選択された場合、即時に又は所定のタイミングで、選択された選択欄に対応する縮小画像の拡大画像を表示する。このようにすることで、端末装置は、一覧表示した縮小画像のうち任意の縮小画像を操作者に選択させて拡大表示させることができる。従って、操作者は、特定の縮小画像を比較したい場合等に、任意の縮小画像を選択欄により選択してこれらを拡大表示させることができる。
【０００８】
上記の端末装置の一態様では、前記拡大表示手段は、前記選択欄が選択された場合、当該選択欄に対応する前記縮小画像の拡大画像を表示するウィンドウを、即時に生成して表示する。このようにすることで、端末装置は、操作者が選択した縮小画像を即時に表示画面に表示させることができる。
【０００９】
上記の端末装置の他の一態様では、前記拡大表示手段は、前記選択欄が選択された場合であって、当該選択欄とは別の選択欄に対応する前記縮小画像の拡大画像を表示するウィンドウが既に表示されていた場合、当該ウィンドウに並べて、選択された前記選択欄に対応する前記縮小画像の拡大画像を表示するウィンドウを、即時に生成して表示する。このようにすることで、端末装置は、複数の縮小画像が選択された場合に、これらの拡大画像を並べて表示することができ、操作者に好適にこれらを比較しつつ閲覧させることができる。
【００１０】
上記の端末装置の他の一態様では、前記一覧表示手段は、前記縮小画像を拡大表示した拡大画像を左右に並べて表示することを指定するメニューと、前記拡大画像を上下に並べて表示することを指定するメニューとを表示し、前記拡大表示手段は、いずれかの前記メニューが選択された場合、選択された前記選択欄に対応する前記縮小画像の拡大画像を、選択されたメニューの指定に基づき表示する。この態様により、端末装置は、選択した縮小画像の拡大画像を、操作者の任意のタイミングかつ任意の並べ方で表示することが可能となる。
【００１１】
上記の端末装置の他の一態様では、入力手段による入力に基づき前記拡大画像上にストロークを描くストローク描画手段をさらに備え、前記拡大表示手段は、前記拡大画像を表示すると共に所定のマークを表示し、当該マークが選択された場合、前記ストロークの色又は／及び線幅を指定するためのツールバーを表示する。この態様により、端末装置は、操作者の操作に基づき拡大画像上に任意のストロークを描画することができると共に、当該ストロークの色又は／及び線幅を操作者に指定させることができる。
【００１２】
上記の端末装置の他の一態様では、入力手段による入力に基づき前記拡大画像上にストロークを描くストローク描画手段を備え、前記一覧表示手段は、前記拡大画像上に描いたストロークの表示及び非表示の切り替えを指定する表示切替ボタンを表示し、前記ストローク描画手段は、前記表示切替ボタンが選択されているか否かに基づき、前記拡大画像上に描いたストロークの表示及び非表示の切り替えを行う。この態様により、端末装置は、操作者の入力に基づき拡大画像上に任意のストロークを描画することができると共に、操作者の入力に応じて当該ストロークの表示及び非表示を切り替えることができる。
【００１３】
上記の端末装置の他の一態様では、入力手段による入力に基づき、前記縮小画像の表示範囲を指定する範囲指定手段を備え、前記一覧表示手段は、前記縮小画像を、前記範囲指定手段により指定された表示範囲のみ表示して一覧表示し、前記拡大表示手段は、選択された前記選択欄に対応する縮小画像の拡大画像を、前記範囲指定手段により指定された表示範囲のみ表示する。このようにすることで、端末装置は、操作者が指定した範囲に応じて、柔軟に縮小画像の一覧表示及び拡大画像の表示を行うことができる。
【００１４】
上記の端末装置の他の一態様では、前記拡大表示手段は、選択された前記選択欄に対応する縮小画像の拡大画像を、前記範囲指定手段により指定された表示範囲のみ表示したウィンドウを生成して表示し、当該ウィンドウは、前記拡大画像の表示範囲を移動させるためのインターフェースが設けられている。ここで、「インターフェース」は、スクロールバーその他拡大画像の表示範囲を移動させるための操作ボタン等が該当する。このようにすることで、端末装置は、拡大画像の表示範囲を操作者の入力に基づき適宜変更させることができる。
【００１５】
本考案に係る電子ペンシステムは、それぞれ異なるコード化パターンが印刷された複数の用紙と、前記用紙に印刷されたコード化パターンを読み取ってペン先部の位置座標を演算し、当該位置座標と固有のペンＩＤとを含む記入情報を送信する複数の電子ペンと、前記電子ペンから記入情報を受信する請求項１乃至８のいずれか一項に記載の端末装置とを備える電子ペンシステムであって、前記端末装置の前記一覧表示手段は、前記電子ペンから受信した記入情報に基づき再現した手書きストロークを描いた前記用紙の縮小画像を一覧表示する。
【００１６】
この構成により、電子ペンシステムは、それぞれ異なるドットパターンが印刷された複数の用紙に対し、電子ペンにより記入がなされると、電子ペンは記入情報を端末装置に送信する。そして、端末装置は、受信した記入情報に基づき再現した手書きストロークを描いた用紙の縮小画像を一覧表示する。そして、端末装置は、選択欄が選択された場合、即時に又は所定のタイミングで、選択された選択欄に対応する縮小画像の拡大画像を表示する。このようにすることで、電子ペンシステムは、電子ペンにより所定の用紙に記載された解答内容等の縮小画像の一覧から任意の縮小画像を指定させ、指定された縮小画像を拡大して操作者に閲覧させることができる。
【考案の効果】
【００１７】
本考案によれば、端末装置は、縮小画像の一覧と共にこれらの選択欄を設け、一覧表示した縮小画像のうち任意の縮小画像を操作者に選択させ、選択された縮小画像を拡大表示する。従って、操作者は、任意の縮小画像を選択欄により選択し、これらを拡大表示させることができる。
【図面の簡単な説明】
【００１８】
【図１】本実施形態に係る電子ペンシステムのシステム構成図である。
【図２】電子ペンシステムで利用される解答用紙を示す図である。
【図３】解答用紙、電子ペン、及び受講者の対応を説明するための図である。
【図４】解答用紙に印刷されるドットパターンによる情報の表現方法の説明図である。
【図５】（ａ）は、ドットパターンを模式的に示し、（ｂ）は、それに対応する情報の例を示す図である。
【図６】電子ペンの構成を示すブロック図である。
【図７】集約装置の機能ブロック図を含む電子ペンシステムのシステム構成図である。
【図８】集約装置に記憶されたユーザＩＤとユーザ名とペンＩＤとの関係を示す図である。
【図９】集約装置に記憶させる学習データのファイルの構造図である。
【図１０】集約装置における描画アプリケーションウィンドウの表示例である。
【図１１】比較一覧表示ボタンが選択された場合の描画アプリケーションウィンドウの表示例である。
【図１２】サムネイルを拡大表示した拡大表示ウィンドウが生成された場合の集約装置の表示画面を示す。
【図１３】比較一覧選択欄が選択された描画アプリケーションウィンドウの表示例を示す。
【図１４】複数の比較一覧選択欄が選択された後の集約装置の表示画面を示す。
【図１５】（Ａ）は、拡大表示ウィンドウの色パレット表示ボタンが選択された場合の概要図を示す。（Ｂ）は、拡大画像上でマウス操作によりストロークが描かれた場合の拡大表示ウィンドウを示す。
【図１６】（Ａ）は、表示切替ボタンが選択されていない状態での表示切替ボタン及び拡大表示ウィンドウの表示態様を示す。（Ｂ）は、表示切替ボタンが選択された状態での表示切替ボタン及び拡大表示ウィンドウの表示態様を示す。
【図１７】指定表示範囲が設定された場合の比較一覧表示を示す。
【図１８】比較一覧選択欄が選択された後の集約処理装置の表示画面を示す。
【図１９】変形例に係る描画アプリケーションウィンドウを示す。
【図２０】ウィンドウメニューが選択された場合の描画アプリケーションウィンドウを示す。
【図２１】「左右に並べて表示」と表記されたメニューが選択された場合の描画アプリケーションウィンドウを示す。
【図２２】変形例に係る解答用紙の上面図を示す。
【図２３】第１の例〜第３の例に係る比較一覧表示及びその画面遷移の具体例を示す。
【考案を実施するための形態】
【００１９】
以下、図面を参照しながら、本考案に係るシステムの好適な実施形態について説明する。
【００２０】
［電子ペンシステムのシステム構成］
図１は、本実施形態における電子ペンシステム１０のシステム構成図である。図１に示すように、電子ペンシステム１０は、各受講者（利用者）それぞれに配布される解答用紙（記入用紙）５Ａ，５Ｂ，…（５）と、解答用紙５に解答（筆跡）を記入し、記入した情報を外部へＢｌｕｅｔｏｏｔｈ（登録商標）等の無線通信方式で送信するための電子ペン１Ａ，１Ｂ，…（１）と、各電子ペン１から送信される記入情報を受信してディスプレイ（表示手段）に記入内容等を表示する集約装置（端末装置）２とを備える。
【００２１】
なお、図１では、集約装置２は、電子ペン１Ａ〜１Ｃから直接、記入情報を受信しているが、記入される解答用紙５が多いために記入情報を送信する電子ペン１の本数が多い場合や、受講者が解答する会場が離れている等により無線通信の範囲外となるような場合は、他の電子ペン１Ｄ、１Ｅ、…から送信される記入情報を中継して集約装置２へ転送するための転送装置３を設ける。このとき、転送装置３から集約装置２へのデータの送信は、例えばＬＡＮ経由でＴＣＰ／ＩＰの通信方式で行うとよい。各電子ペン１には、アノトペンを利用することができ、集約装置２には、ラップトップパソコンなどを利用することができ、転送装置３には、ラップトップパソコンやデータ転送専用のコンピュータなどを利用することができる。プロジェクタ４は、集約装置２から表示情報を受信して、集約装置２の画面をスクリーン６へ投影表示する装置である。
【００２２】
［解答用紙］
図２を参照して解答用紙（記入用紙）５について説明する。各解答用紙５には、その略全面に、それぞれ同じパターンのドットパターン（コード化パターン）が印刷され、その上に、ユーザエリア５０１が規定されている。さらに、各解答用紙５には、所属（クラス）や名前を記入する記入欄や問題、解答欄等が印刷されている。なお、問題数が多く解答用紙５のセットが複数枚に及ぶ場合は、二枚目、三枚目、…ごとに異なるドットパターンを印刷する。ドットパターンは、赤外線を吸収するカーボンを含んだインキにより印刷され、記入欄や問題内容等の線や文字は、赤外域に吸収性を持たないインキにより印刷される。
【００２３】
［解答用紙、電子ペンと受講者の対応等］
解答用紙、電子ペンと受講者（記入者）の対応等については、本実施形態では、図３に示すように、受講者「太郎」が、電子ペン１Ａを用いて解答用紙５Ａに解答し、受講者「次郎」が、電子ペン１Ｂを用いて解答用紙５Ｂに解答し、受講者「三郎」が、電子ペン１Ｃを用いて解答用紙５Ｃに解答し、受講者「四郎」が、電子ペン１Ｄを用いて解答用紙５Ｄに解答し、受講者「五郎」が、電子ペン１Ｅを用いて解答用紙５Ｅに解答するものとする。また、講師（利用者）「花子」が、集約装置２を操作するものとする。
【００２４】
［ドットパターン］
続いて、解答用紙５に印刷されたアノト方式のドットパターン（コード化パターン）について図４及び図５を用いて説明する。図４は、解答用紙５に印刷されたドットパターンのドットとそのドットが変換される値との関係を説明する図である。図４に示すように、ドットパターンの各ドットは、その位置によって所定の値に対応付けられている。すなわち、ドットの位置を仮想格子の基準位置（縦線及び横線の交差点）から上下左右のどの方向にシフトするかによって、各ドットは、０〜３の値に対応付けられている。また、各ドットの値は、さらに、Ｘ座標用の第１ビット値及びＹ座標用の第２ビット値に変換できる。このようにして対応付けられた情報の組合せにより、解答用紙５上の位置座標が決定されるよう構成されている。
【００２５】
図５（ａ）は、あるドットパターンの配列を示している。図５（ａ）に示すように、縦横約２ｍｍの範囲内に６×６個のドットが、解答用紙５上のどの部分から６×６ドットを取ってもユニークなパターンとなるように配置されている。これら３６個のドットにより形成されるドットパターンは位置座標（例えば、そのドットパターンが解答用紙５上のどの位置にあるのか）を保持している。図５（ｂ）は、図５（ａ）に示す各ドットを、格子の基準位置からのシフト方向によって、図４に示す規則性に基づいて対応づけられた値に変換したものである。この変換は、ドットパターンの画像を撮影する電子ペン１によって行われる。
【００２６】
［電子ペン］
次に、電子ペン１について図６を用いて説明する。図６は、電子ペン１の構造を示す概略図である。図６に示すように、電子ペン１は、その筐体１０１の内部に、インクカートリッジ１０４、ＬＥＤ１０５、ＣＭＯＳカメラ１０６、圧力センサ１０７、ＣＰＵ等により構成されるプロセッサ１０８、ＲＯＭやＲＡＭといったメモリ１０９、リアルタイムクロック１１０、アンテナ等により構成される通信ユニット１１１、及びバッテリー１１２を備える。インクカートリッジ１０４の先端は、ペン先部１０３となっており、ユーザは、電子ペン１のペン先部１０３を解答用紙５に当接させて、ストローク（手書きストローク）を記入する。インクカートリッジ１０４のインクは、赤外線を吸収する材料（例えばカーボン）を含まないようにする。ここで、電子ペン１のペン先部１０３が解答用紙５に接触することを「ペンダウン」と呼び、接触している（当接している）状態からペン先部１０３が離れることを「ペンアップ」と呼ぶ。電子ペン１のペンダウンからペンアップまでの間に記入される軌跡が１つのストロークとなり、文字や図形等は、１つ又は複数個のストロークからなる。
【００２７】
バッテリー１１２は電子ペン１内の各部品に電力を供給するためのものであり、例えば電子ペン１のキャップ（図示せず）の脱着により電子ペン１自体の電源のオン／オフを行うよう構成させてもよい。リアルタイムクロック１１０は、現在時刻（タイムスタンプ）を示す時刻情報を発信し、プロセッサ１０８に供給する。圧力センサ１０７は、ユーザが電子ペン１により解答用紙５に文字やマークを書いたりタップしたりする際にペン先部１０３からインクカートリッジ１０４を通じて与えられる圧力、即ち筆圧を検出し、その値をプロセッサ１０８へ伝送する。
【００２８】
プロセッサ１０８は、圧力センサ１０７から与えられる筆圧データに基づいて、ＬＥＤ１０５及びＣＭＯＳカメラ１０６のスイッチのオン／オフを切替える。即ち、ユーザが電子ペン１で解答用紙５に文字などを書くと、ペン先部１０３に筆圧がかかり、圧力センサ１０７によって所定値以上の筆圧が検出されたときに、プロセッサ１０８は、ユーザが記入を開始したと判定して、ＬＥＤ１０５及びＣＭＯＳカメラ１０６を作動させる。そして、ユーザが１つのストロークを記入し終えて電子ペン１を解答用紙５から離すと、圧力センサ１０７は、所定値以上の筆圧が検出されなくなることでペンアップを検出する。すると、通信ユニット１１１が、圧力センサ１０７により検出されたペンアップ情報とペンＩＤとを関連付けて、記入情報として集約装置２へ送信する。
【００２９】
ＬＥＤ１０５とＣＭＯＳカメラ１０６は、電子ペン１のペン先部１０３付近に取り付けられており、筐体１０１におけるＬＥＤ１０５及びＣＭＯＳカメラ１０６と対向する部分には、開口部１０２が形成されている。ＬＥＤ１０５は、解答用紙５上のペン先部１０３近傍に向けて赤外線を照明する。その領域は、ペン先部１０３が解答用紙５に接触する位置とはわずかにずれている。ＣＭＯＳカメラ１０６には、赤外線を透過し赤外線以外を遮断する赤外線透過フィルタが設けられており、ＣＭＯＳカメラ１０６は、ＬＥＤ１０５によって照明された領域内におけるドットパターンを撮影し、そのドットパターンの画像データをプロセッサ１０８に供給する。ここで、カーボンは赤外線を吸収するため、ＬＥＤ１０５によって照射された赤外線は、ドットに含まれるカーボンによって吸収される。そのため、ドットの部分は、赤外線の反射量が比較的少なく、ドット以外の部分は赤外線の反射量が比較的多い。ＣＭＯＳカメラ１０６の撮影により、赤外線の反射量の違いから閾値を設けることによって、カーボンを含むドットの領域とそれ以外の領域を区別することができる。したがって、解答用紙５に記入欄などが印刷されていた場合でも、印刷したインクは赤外域に吸収性を持たないため、プロセッサ１０８は、ドットパターンを認識することができる。なお、ＣＭＯＳカメラ１０６による撮影領域は、図５（ａ）に示すような約２ｍｍ×約２ｍｍの大きさを含む範囲であり、ＣＭＯＳカメラ１０６の撮影は毎秒５０〜１００回程度の定間隔で行われる。また、ＣＭＯＳカメラ１０６は、ドットを鮮明に撮影するため、十分な被写界深度を有している。
【００３０】
プロセッサ１０８は、ユーザの記入が行われる間、ＣＭＯＳカメラ１０６によって供給される画像データのドットパターンから、ユーザが記入するストローク（筆跡）の解答用紙５上におけるＸ、Ｙ座標（以後、単に「座標データ」または「座標情報」とも呼ぶ。）を連続的に演算していく。すなわち、プロセッサ１０８は、ＣＭＯＳカメラ１０６によって供給される、図５（ａ）に示されるようなドットパターンの画像データを図５（ｂ）に示すデータ配列に変換し、さらに、Ｘ座標ビット値・Ｙ座標ビット値に変換して、そのデータ配列から所定の演算方法によりＸ、Ｙ座標データを演算する。なお、プロセッサ１０８は、ドットパターンに対向する電子ペン１の角度に起因するドットの画像上の配列を補正する回転補正処理機能を備えており、座標演算に利用されている。そして、プロセッサ１０８は、リアルタイムクロック１１０から発信される現在時刻（タイムスタンプ：記入された時刻情報）、筆圧データ及びＸ、Ｙ座標データを関連付ける。以後、これらの関連付けたデータを、まとめて「座標属性情報」と呼ぶ。なお、解答用紙５における６×６のドットパターンは、解答用紙５内で重複することはないため、ユーザが電子ペン１で文字等を記入すると、記入された位置が解答用紙５のどの位置に当たるかを、プロセッサ１０８による座標演算により特定することができる。
【００３１】
メモリ１０９には、各電子ペン１Ａ〜１Ｅを識別するためのそれぞれのペンＩＤ「ｐｅｎ０１」〜「ｐｅｎ０５」、ペン製造者番号、ペンソフトウェアのバージョン等のプロパティ情報が記憶されている。そして、通信ユニット１１１は、ペンＩＤと、時刻情報（タイムスタンプ）と、筆圧データと、Ｘ、Ｙ座標データとを関連付けて、記入情報として集約装置２へ送信する。通信ユニット１１１による集約装置２への送信は、Ｂｌｕｅｔｏｏｔｈ（登録商標）などの無線送信によって、即時的かつ逐次的に行われる。ここで、電子ペン１のペンダウンからペンアップまでの間に生成されて集約装置２に送信された１個又は複数個の座標属性情報は、集約装置２によりストローク情報として記憶される。換言すると、１つのストロークは、１個又は複数個のＸ、Ｙ座標（座標点）からなり、集約装置２は、ペンダウン情報及びペンアップ情報によって、１つのストロークを構成する１個又は複数個の座標属性情報を認識する。
【００３２】
このように、各電子ペン１Ａ〜１Ｅは、受講者が解答用紙５に記入する都度、記入情報を生成して、集約装置２へ送信する。言い換えると、各電子ペン１Ａ〜１Ｅは、受講者が解答用紙５に記入し続けている間、記入情報を生成し、集約装置２へ送信し続ける。そして、受講者が電子ペン１を解答用紙５から離す（ペンアップする）と、当該電子ペン１は、圧力センサ１０７で所定値以上の筆圧が検出されなくなったことにより、受講者が記入を停止したと判定する。そして、この場合、ペンアップされた電子ペン１は、ＬＥＤ１０５とＣＭＯＳカメラ１０６を停止して、集約装置２への記入情報の送信を中止する。
【００３３】
［転送装置］
図７を参照して転送装置３について説明する。図７に、転送装置３の機能ブロック図と集約装置２の機能ブロック図とを含む電子ペンシステム１０のシステム構成図を示す。
【００３４】
図７に示すように、転送装置３は、転送受信手段３１と転送送信手段３２とを備える。転送受信手段３１は、電子ペン１からＢｌｕｅｔｏｏｔｈ（登録商標）の無線通信方式で送信される記入情報等のデータを受信する手段である。転送送信手段３２は、転送受信手段３１によって受信した記入情報等のデータを集約装置２に送信する手段である。転送送信手段３２による集約装置２へのデータの送信は、例えばＬＡＮ経由でＴＣＰ／ＩＰの通信方式により行うと良い。
【００３５】
［集約装置］
続いて、集約装置２について説明する。図７に示すように、集約装置２は、範囲指定手段２０、入力手段２１、集約個別受信手段（受信手段）２２、集約転送受信手段（受信手段）２３、集約処理手段（処理手段）２４、記憶手段２５、表示手段２６、及び送信手段２７を備える。集約装置２は、ハードウェアとして、電子ペン１やプロジェクタ４とのデータ通信が可能な通信装置と、ＣＰＵ等のプロセッサと、ＲＯＭやＲＡＭ、ハードディスクなどのメモリと、ディスプレイと、マウスやキーボード等で構成されているパーソナルコンピュータ等である。また、集約装置２は、集約処理手段２４による描画アプリケーション（プログラム）の実行により、電子ペン１から受信した記入情報を処理して、表示手段２６に記入内容を再現する。
【００３６】
集約個別受信手段２２は、電子ペン１から送信された記入情報等のデータを受信する手段である。集約転送受信手段２３は、転送装置３から転送された記入情報等のデータを受信する手段である。集約個別受信手段２２及び集約転送受信手段２３は、アンテナや受信回路等により構成される。
【００３７】
範囲指定手段２０は、マウス等のポインティング・デバイスとその操作を検知する手段によって構成され、マウスによって、表示手段２６の画面におけるボタンのクリック操作や任意の位置・大きさの長方形状の画面範囲を指定するドラッグ操作が可能である。入力手段２１は、処理や表示の種別を含む処理態様を指示する手段であり、キーボードやマウスとその操作を検知する手段によって構成される。このように、マウスは、その操作によって範囲指定手段２０と入力手段２１とを兼ねる。送信手段２７は、表示手段２６に表示される内容と同じ内容をプロジェクタ４からスクリーン６へ投影表示させるため、表示手段２６への表示信号を同期してプロジェクタ４へ送信する手段である。
【００３８】
記憶手段２５は、ＲＯＭやＲＡＭ、ハードディスクなどのメモリによって構成され、解答用紙５における各ユーザエリアと位置座標とを関連付けて記憶する。また、図８に示すように、記憶手段２５は、電子ペン１が保持する固有のペンＩＤに対して、ユーザＩＤとユーザ名とをユーザ定義情報として関連付けて記憶する。図８において、例えば、ペンＩＤ「ｐｅｎ０１」には、ユーザＩＤ「Ｕ０１」とユーザ名「太郎」とが予め関連付けられて記憶されている。さらに、記憶手段２５は、各電子ペン１によって送信されてきた記入情報を、ペンＩＤごとに記憶する。
【００３９】
記憶手段２５には、記入情報およびユーザ定義情報に基づいて、集約処理手段２４による描画アプリケーション（プログラム）の実行により、ファイル形式で学習データが保存される。図９は、データのファイル形式の概略的な構造を示している。図９に示すように、学習データは、ファイル属性情報と、ユーザＩＤ別の個人学習データとを有する。ファイル属性情報には、作成日時情報が含まれている。また、個人学習データには、ユーザＩＤと、電子ペン１から送信された記入情報の位置座標情報等を含むユーザストローク情報と、解答内容等に応じてカテゴライズのために操作者によって設定されるユーザ色（分類）情報やキーワード情報等が含まれている。ユーザＩＤは、集約処理手段２４により、記入情報に含まれるペンＩＤに基づいて、記憶手段２５に予め記憶されたユーザ定義情報を参照することで特定され、当該記入情報に基づくユーザストローク情報と対応付けられる。ユーザストローク情報は、電子ペン１が演算した位置座標（ＸＹ座標）情報、記入された時の時刻情報、及び筆圧情報が含まれる。ファイルデータを読み込む際には、操作者が、入力手段２１によって、ユーザＩＤ、ユーザ色情報、キーワード情報などを所定の入力エリアに入力することで、集約処理手段２４によって特定のデータを検索させ、ユーザストローク情報を表示手段２６に再現させることができる。
【００４０】
集約処理手段２４は、電子ペン１からのデータを集約して処理する手段であり、アプリケーションプログラムの実行により機能を発揮するＣＰＵ等のプロセッサによって構成されている。この集約処理手段２４は、電子ペン１から位置座標及びペンＩＤ等を含む記入情報を受信すると、ペンＩＤごとに記入情報を記憶手段２５に記憶させる。また、集約処理手段２４は、ペンＩＤごとに関連付けられた記入情報を筆跡として再現して表示手段２６に表示させ、また、範囲指定手段２０のマウス操作でドラッグにより指定された範囲に対応する各解答用紙５における記入情報を、記憶手段２５から抽出して、各解答用紙５における記入情報を筆跡として表示手段２６に一覧表示させる等、様々な処理を行う。
【００４１】
また、集約処理手段２４は、解答用紙５についての記入情報を含む学習データに基づいて、表示手段２６に記入内容を表示させるとともに電子ペンＩＤに対応するユーザＩＤに対応するユーザ名を表示させる。表示手段２６に電子ペン１による記入内容とユーザ名とが表示されるため、操作者である講師「花子」は、受講者（記入者）とその者による記入内容とを合わせて認識することができる。また、集約処理手段２４は、表示手段２６と同じ内容を同期させて、プロジェクタ４からスクリーン６へ投影表示させるため、表示手段２６に対する表示信号と同じ信号を送信手段２７に対してプロジェクタ４へ向けて送信させる。すると、各受講者も、プロジェクタ４からスクリーン６へ投影表示された記入内容とその記入者とを合わせて認識することができる。
【００４２】
［描画アプリケーションによる画面表示］
次に、描画アプリケーションの実行による集約処理手段２４の表示手段２６への表示処理について図１０を参照しつつ説明する。図１０は、表示手段２６の表示画面に表示された描画アプリケーションに基づくウィンドウ（「描画アプリケーションウィンドウ」とも呼ぶ。）の一例を示す。
【００４３】
図１０に示すように、電子ペン１で解答用紙５に記入された際に生成された記入情報に基づいて、集約装置２で記憶手段２５に個別学習データとして記憶したユーザストローク情報は、集約処理手段２４によって、表示手段２６のユーザストローク情報表示領域５０に描画される。描画するユーザストローク情報が、拡大表示などでユーザストローク情報表示領域５０よりも大きい場合、集約処理手段２４は、横スクロールバー５１及び縦スクロールバー５２を有効とし、利用者のマウス操作によってユーザストローク情報表示領域５０をスクロールして、ユーザストローク情報全体を複数回に分けて表示できるようにする。
【００４４】
また、集約処理手段２４は、描画アプリケーションウィンドウ上部に、機能ボタンとして、選択ユーザ表示ボタン５３、比較一覧表示ボタン５４、再生表示ボタン５６、選択画像出力ボタン５７、表示サイズ変更リスト５８、縮小表示ボタン５９、拡大表示ボタン６０、ページ送りボタン６１，６２、回転表示ボタン６３，６４、ユーザコントロール表示ボタン６５、及び表示切替ボタン６６、などを表示し、マウスによる機能ボタンの選択により、それぞれの処理を実行する。
【００４５】
選択ユーザ表示ボタン５３は、後述するユーザ選択リスト６９から選択した１つのユーザ名に対応するユーザストローク情報を表示するためのボタンである。比較一覧表示ボタン５４は、複数のユーザ名に対応するユーザストローク情報を同時に並べて一覧表示するためのボタンである。以後、比較一覧表示ボタン５４が選択された際の描画アプリケーションウィンドウの表示を「比較一覧表示」と呼ぶ。再生表示ボタン５６は、ユーザストローク情報を１ストロークずつ再生表示するためのボタンである。選択画像出力ボタン５７は、任意選択範囲がある場合にその範囲内のユーザストローク情報を、画像データとして出力するためのボタンである。この機能を設けることで、各受講生の記入情報から、参考となる模範解答集などを容易に作成できるようになる。
【００４６】
表示サイズ変更リスト５８は、現在、ユーザストローク情報表示領域５０に描画するユーザストローク情報の表示サイズを示すリストである。また、ユーザがマウスを用いてプルダウンメニューの中から表示サイズを任意に選択し、変更できる。縮小表示ボタン５９は、ユーザストローク情報表示領域５０に描画するユーザストローク情報の表示サイズを、現在設定されている表示サイズから所定の割合で縮小する機能である。拡大表示ボタン６０は、ユーザストローク情報表示領域５０に描画するユーザストローク情報の表示サイズを、現在設定されている表示サイズから所定の割合で拡大する機能である。ページ送りボタン６１，６２は、解答用紙５のセットが複数枚に及ぶ場合に、異なるページアドレス（用紙ドットパターン）の解答用紙５を表示するためのボタンである。回転表示ボタン６３，６４は、ユーザストローク情報表示領域５０に描画するユーザストローク情報を９０度ずつ回転させるためのボタンである。このような機能を設けることで、表示上の用紙向きを簡単に変更できる。ユーザコントロール表示ボタン６５は、ユーザコントロールリスト６８の表示・非表示を切り替える機能である。非表示にすることで、ユーザストローク情報表示領域５０を拡大できる。表示切替ボタン６６は、マウス操作により画面上に描いたストロークの表示及び非表示を切り替えるボタンである。これについては、［画面描画ストローク表示機能］のセクションで詳しく説明する。
【００４７】
図１０に示すように、ユーザコントロールリスト６８には、ユーザ選択リスト６９、色分類ボタン７１〜７６、名簿順ソートボタン７８、色順ソートボタン７９、分類グラフ表示ボタン８１、リロードボタン８２などが表示される。
【００４８】
ユーザ選択リスト６９は、ユーザストローク情報表示領域５０に表示するユーザストローク情報を、ユーザ名で選択するためのリストである。ユーザ選択リスト６９は、ユーザ色（分類）情報表示欄６９１と、ユーザ名表示欄６９２と、キーワード表示欄６９３とを備える。集約処理手段２４は、電子ペン１から取得して個別学習データとして記憶手段２５に記憶したユーザストローク情報ごとに関連付けられているユーザＩＤに対応するユーザ名をユーザ名表示欄６９２に表示し、色分類ボタン７１〜７６によって選択されたユーザ色（分類）情報をユーザ色（分類）情報表示欄６９１に表示し、キーワード等の各ユーザの情報をキーワード表示欄６９３に表示する。ユーザ選択リスト６９のユーザ名表示欄６９２には、集約処理手段２４により、記憶手段２５に記憶した個別学習データのユーザＩＤに対応するユーザ名が表示される。
【００４９】
そして、操作者がマウスによって、ユーザ選択リスト６９から所望のユーザを選択したうえで選択ユーザ表示ボタン５３をクリックすると、集約処理手段２４は、選択されたユーザのストローク情報を解答用紙５の画像とともに、ユーザストローク情報表示領域５０に表示させる。なお、集約装置２の操作者は、ユーザ選択リスト６９のキーワードの欄に、入力手段２１のキーボードを用いて直接文字を入力することができ、集約処理手段２４は、入力された文字を個人学習データファイルのキーワード情報として記憶手段２５におけるユーザＩＤ別の格納領域に記憶させる（参照図９）。
【００５０】
色分類ボタン７１〜７６は、ユーザ選択リスト６９に表示されているユーザごとにユーザ色（分類）情報を設定するためのボタンである。ボタン７１は赤色に、ボタン７２は青色に、ボタン７３は黄色に、ボタン７４は緑色に、ボタン７５は茶色に、ボタン７６は白色にユーザ色（分類）情報を設定するためのボタンである。集約装置２の操作者は、マウスによって、ユーザ選択リスト６９内の特定のユーザ名を選択し、色分類ボタン７１〜７６のうち所望のボタンを選択すると、集約処理手段２４は、ユーザ選択リスト６９内の選択されたユーザ名のユーザ色（分類）情報表示欄６９１を指定された色で表示する。この機能により、操作者である講師が、ユーザストローク情報表示領域５０に表示される受講者の解答内容を見て、その考え方などをカテゴリー分けして色をつけ、見易くすることができる。なお、ユーザ色（分類）情報は、未設定時は、白色に設定しておくとよい。
【００５１】
名簿順ソートボタン７８は、ユーザ選択リスト６９に表示されているユーザ一覧を、名簿番号順に並べ替えるためのボタンである。本第実施形態では、図８に示すユーザＩＤ順を名簿番号順としている。色順ソートボタン７９は、ユーザ選択リスト６９に表示されているユーザ一覧を、色分類ボタン７１〜７６の操作によって付された色情報が同じユーザ同士を連続して配列されるように、ユーザ色情報順に並べ替えるためのボタンである。分類グラフ表示ボタン８１は、色分類ボタン７１〜７６の操作によって付されたユーザ色情報別のユーザ数を、ユーザストローク情報表示領域５０に棒グラフ等で表示するためのボタンである。
【００５２】
リロードボタン８２は、ユーザ選択リスト６９において選択されているユーザのユーザストローク情報を、学習データファイル保存時の状態まで戻すためのボタンである。この機能により、操作者である講師が、リロードボタン８２をマウスで選択すると、集約処理手段２４は、選択されているユーザに関連付けられているユーザＩＤに基づいて、前回のファイル保存以降に電子ペン１より受信して記憶手段２５のユーザＩＤ別の格納領域に記憶したユーザストローク情報をクリアして、前回ファイル保存した時点までのユーザストローク情報を読み出し、ユーザストローク情報表示領域５０に表示する。この機能により、個々のユーザが解答をやり直したい場合などに対応できる。
【００５３】
また、ファイルデータの保存やアプリケーションの設定などは、一般的なアプリケーションと同様に、機能メニューとして用意しておくと良い。ファイルメニュー９０のプルダウンメニューとして、ファイルデータの読み込み・保存を実行するメニュー、画像形式で保存するメニュー、アプリケーションの終了を実行するメニューなど、アプリケーションの全般的な管理に関する実行機能を一覧で用意しておくと便利である。
【００５４】
また、ファイルデータの保存に関するファイル形式を、ユーザ別のユーザストローク情報と設定情報を関連付けた構造としているので、ファイルデータを読み込む際、ユーザＩＤ、ユーザ色情報、キーワード情報などから特定のデータを検索し、検索されたユーザストローク情報をユーザストローク情報表示領域５０に表示することができる。ここで、図９のキーワード情報は、図１０に示すユーザ選択リスト６９のキーワードに対応している。
【００５５】
表示メニュー９１のプルダウンメニューとして、ウィンドウ枠を隠しアプリケーションの表示領域を最大限拡大する全画面表示メニューなど、アプリケーションの表示に関する実行機能を一覧で用意しておくと便利である。またツールメニュー９２のプルダウンメニューとして、電子ペン１の接続経由状況（例えば転送装置３のＩＰアドレスなど）を表示するペン管理メニュー、ユーザストローク情報を表示する背景となる解答用紙５の画像を設定する用紙管理メニュー、アプリケーションのバージョンやプロパティ情報などを表示するメニューなど、アプリケーションの設定に関する実行機能を一覧で用意しておくと便利である。これらのボタンやメニューが選択されると、集約処理手段２４により各機能が実行される。
【００５６】
［比較一覧表示機能］
次に、図１１〜図１４に示す集約装置２の表示画面の遷移例を参照して比較一覧表示ボタン５４が選択された場合の比較一覧表示機能について説明する。
【００５７】
図１１は、比較一覧表示ボタン５４が選択された場合に表示される描画アプリケーションウィンドウの比較一覧表示を示す。図１１に示すように、比較一覧表示では、ユーザストローク情報表示領域５０には、電子ペン１Ａ〜１Ｅを使用する受講者ごとに、解答用紙５の画像及びユーザストローク情報に基づき再現した解答用紙５Ａ〜５Ｅ（「再現解答用紙」とも呼ぶ。）の縮小表示であるサムネイル９５Ａ〜９５Ｅ（９５）と、各サムネイル９５に対応する受講者の氏名を表示する名称表示９６Ａ〜９６Ｅ（９６）と、マウスのクリック等により画面上で選択可能な比較一覧選択欄９７Ａ〜９７Ｅ（９７）とが表示されている。
【００５８】
このように、集約処理手段２４は、比較一覧表示では、ユーザストローク情報が存在するペンＩＤのみ、その表示範囲のユーザストローク情報を記憶手段２５から読み出し、ユーザストローク情報ごとに解答用紙５の画像データを背景に筆跡として再現した再現解答用紙のサムネイル９５を、ユーザストローク情報表示領域５０に一覧表示させる。また、集約処理手段２４は、一覧表示後も、電子ペン１から逐次送信される記入情報を受信すると、ペンＩＤごとに記入情報を記憶手段２５に記憶させ、当該記入情報を含む学習データに基づいて、各電子ペン１のペンＩＤごとに、表示範囲にユーザストローク情報が存在するペンＩＤのみ、当該表示範囲のユーザストローク情報を記憶手段２５から読み出し、筆跡を再現したサムネイル９５を、ユーザストローク情報表示領域５０上に一覧表示させる。
【００５９】
次に、比較一覧選択欄９７Ａがマウス操作等により選択された場合について説明する。この場合、図１１に示すように、集約処理手段２４は、比較一覧選択欄９７Ａ中にチェックマークを表示する。その後、集約処理手段２４は、表示手段２６の表示画面を、即時に、後述する図１２に示す表示画面へ遷移させる。比較一覧選択欄９７は、本考案に係る「選択欄」の一例である。
【００６０】
図１２は、比較一覧選択欄９７Ａが選択された後に表示される集約装置２の表示画面を示す。図１２に示すように、この場合、集約処理手段２４は、サムネイル９５Ａを拡大した拡大画像１０３Ａを表示した拡大表示ウィンドウ１００Ａ（１００）を、最前面にポップアップ表示する。拡大表示ウィンドウ１００Ａには、拡大表示ウィンドウ１００Ａを閉じるための閉じるボタン１０１Ａ（１０１）と、後述する色パレットを表示するための色パレット表示ボタン１０２Ａ（１０２）とが設けられている。また、拡大表示ウィンドウ１００Ａは、マウスによるウィンドウ辺縁部のドラッグ操作等によって表示範囲が調整可能である。この場合には、集約処理手段２４は、拡大表示ウィンドウ１００Ａに対応する受講者「太郎」のユーザＩＤ「Ｕ０１」に基づき、拡大表示ウィンドウ１００Ａの新たな表示範囲に対応するユーザストローク情報を記憶手段２５から抽出し、当該ユーザストローク情報を解答用紙５の画像に重畳させて表示する。なお、拡大表示ウィンドウ１００は、本考案に係る「ウィンドウ」の一例であり、色パレット表示ボタン１０２は、本考案における「マーク」の一例である。
【００６１】
次に、比較一覧選択欄９７Ｃが新たに選択された場合について説明する。この場合、図１３に示すように、集約処理手段２４は、比較一覧選択欄９７Ｃ中にチェックマークを表示する。そして、図１４に示すように、集約処理手段２４は、受講者「三郎」の再現解答用紙に対応する拡大画像１０３Ｃを表示した拡大表示ウィンドウ１００Ｃを生成して最前面に表示させる。図１４では、集約処理手段２４は、新たに生成した拡大表示ウィンドウ１００Ｃを、既に生成した拡大表示ウィンドウ１００Ａと同じ大きさに設定すると共に、拡大表示ウィンドウ１００Ａと重ならないように横並びに配置している。このようにすることで、操作者は、受講者「太郎」の再現解答用紙と、受講者「三郎」の再現解答用紙とをそれぞれマウス操作により拡大表示させて、これらの解答内容を容易に比較することができる。なお、拡大表示ウィンドウ１００Ｃは、拡大表示ウィンドウ１００Ａと同様、マウスによるウィンドウ辺縁部のドラッグ操作等によって表示範囲が調整可能である。
【００６２】
［画面描画ストローク表示機能］
次に、拡大表示ウィンドウ１００上でのマウス操作によるストローク（「画面描画ストローク」とも呼ぶ。）の表示機能について図１５及び図１６を参照して説明する。ここで、図１５（Ａ）は、図１４において、色パレット表示ボタン１０２Ｃが選択された場合の概要図を示す。図１５（Ｂ）は、拡大画像１０３Ｃ上でマウス操作により画面描画ストロークが描かれた場合の拡大表示ウィンドウ１００Ｃを示す。
【００６３】
図１５（Ａ）に示すように、色パレット表示ボタン１０２がマウス操作により選択された場合、集約処理手段２４は、色パレット１１０を別ウィンドウとして表示画面の最前面に表示する。色パレット１１０は、色選択ボタン１２０〜１２４と線幅選択ボタン１３０〜１３３とを備える。色選択ボタン１２０〜１２４は、マウスにより拡大表示ウィンドウ１００上に画面描画ストロークを描く際の色を選択するためのボタンである。具体的には、ボタン１２０は赤色に、ボタン１２１は青色に、ボタン１２２は黄色に、ボタン１２３は黒色に、ボタン１２４は白色に画面描画ストロークの色を設定するためのボタンである。線幅選択ボタン１３０〜１３３は、マウスにより拡大表示ウィンドウ１００上に画面描画ストロークを描く際の線幅を選択するためのラジオボタンである。色パレット１１０は、本考案における「ツールバー」の一例である。
【００６４】
そして、集約装置２の操作者は、まず、マウスにより色パレット１１０の色選択ボタン１２０〜１２４からいずれかを選択し、かつ、線幅選択ボタン１３０〜１３３からいずれかを選択する。その後、操作者は、拡大表示ウィンドウ１００Ｃ上にマウスのカーソルを合わせて右クリックボタンを押下しながら任意の軌跡を描くようにマウスのカーソルを移動させる。この場合、集約処理手段２４は、図１５（Ｂ）に示すように、選択された色及び線幅並びにカーソルの軌跡に基づき、拡大表示ウィンドウ１００Ｃの再現解答用紙上に画面描画ストローク１０５を描く。ここでは、操作者は、色選択ボタン１２０〜１２４のうち赤色のボタン１２０を選択し、かつ、線幅選択ボタン１３０〜１３３からボタン１３１を選択し、拡大表示ウィンドウ１００Ｃ上に楕円状の画面描画ストロークを描いたものとする。このようにすることで、集約装置２は、操作者のマウス操作に基づき、拡大表示ウィンドウ１００上に拡大表示された拡大画像１０３上にメモ書きや採点のためのチェックマークなどを表示画面上に表示させることができる。
【００６５】
次に、表示切替ボタン６６の機能について、図１６（Ａ）、（Ｂ）を参照して説明する。図１６（Ａ）は、表示切替ボタン６６（図１０参照）が選択されていない状態での表示切替ボタン６６及び拡大表示ウィンドウ１００Ｃの表示態様を示し、図１６（Ｂ）は、表示切替ボタン６６が選択された状態での表示切替ボタン６６及び拡大表示ウィンドウ１００Ｃの表示態様を示す。
【００６６】
図１６（Ａ）に示すように、表示切替ボタン６６が選択されていない状態では、表示切替ボタン６６は縁取り効果が施されて表示されている。そして、この場合には、集約処理手段２４は、色パレット１１０を用いて指定された色及び線幅によりマウスで既に描かれた画面描画ストローク１０５を、拡大画像１０３Ｃ上に表示する。
【００６７】
一方、図１６（Ｂ）に示すように、マウスによりクリックされたことにより表示切替ボタン６６が選択された状態に切り替わった場合、表示切替ボタン６６は縁取り効果が施されていない態様で表示される。そして、この場合には、集約処理手段２４は、色パレット１１０を用いて指定された色及び線幅によりマウスで描かれた画面描画ストローク１０５を非表示にする。このように、集約処理装置２は、表示切替ボタン６６への操作に応じて、画面描画ストロークの表示及び非表示を切り替えることができる。
【００６８】
［表示範囲指定機能］
次に、マウスのドラッグ操作により指定された範囲（「指定表示範囲」とも呼ぶ。）に基づきサムネイル９５及び拡大表示ウィンドウ１００の表示態様を決定する方法について図１７及び図１８を参照して説明する。
【００６９】
まず、操作者は、選択ユーザ表示ボタン５３を選択し、ユーザ選択リスト６９から選択した任意の１つのユーザに対応する再現解答用紙をユーザストローク情報表示領域５０に表示させる。その後、操作者は、マウスのドラッグ操作により、カーソルを動かして表示された再現解答用紙上で指定表示範囲を設定する。
【００７０】
図１７は、指定表示範囲が設定された場合の比較一覧表示を示す。図１７では、集約処理手段２４は、操作者が指定した上述の指定表示範囲に相当する範囲の各再現解答用紙を縮小表示したサムネイル９５Ａａ〜９５Ｅａを一覧表示している。そして、操作者が比較一覧選択欄９７Ａを選択すると、集約処理手段２４は、後述する図１８に示す表示画面を表示手段２６に表示させる。
【００７１】
図１８は、比較一覧選択欄９７Ａが選択された後の集約処理装置２の表示画面を示す。図１８に示すように、この場合、集約処理手段２４は、描画アプリケーションウィンドウに重畳させて、拡大表示ウィンドウ１００Ａａを表示する。ここでは、集約処理手段２４は、拡大画像１０３Ａのうち、設定された指定表示範囲に対応する部分のみが表示されるように拡大表示ウィンドウ１００Ａａの大きさ及び範囲を設定する。さらに、拡大表示ウィンドウ１００Ａａでは、拡大画像１０３Ａのうち、上下（縦）方向の一部に非表示となっている部分が存在することから、集約処理手段２４は、当該非表示となっている部分を表示させるための縦スクロールバー１０５Ａを有効とする。なお、集約処理手段２４は、指定表示範囲に起因して、拡大画像１０３Ａのうち、左右（横）方向の一部に非表示となっている部分が存在する場合には、これに加えて、又はこれに代えて、当該非表示となっている部分を表示させるための横スクロールバーを有効とする。これにより、集約処理手段２４は、拡大画像１０３Ａ全体を複数回に分けて表示することが可能となる。なお、上述の縦スクロールバー及び横スクロールバーは、本考案における「インターフェース」の一例である。
【００７２】
［本実施形態による作用効果］
以上説明した本実施形態によれば、集約装置２は、電子ペン１から受信した記入情報に基づき生成した再現解答用紙のサムネイル９５を一覧表示すると共に、サムネイル９５ごとに、サムネイル９５の拡大画像１０３を表示するための比較一覧選択欄９７を表示した。これにより、集約装置２は、任意の受講者の解答内容を、操作者に選択させて拡大表示することができる。
【００７３】
また、集約装置２は、比較一覧選択欄９７が選択された場合であって、当該比較一覧選択欄９７とは別の比較一覧選択欄９７に対応する拡大表示ウィンドウ１００が既に表示されていた場合、当該拡大表示ウィンドウ１００に並べて、選択された比較一覧選択欄９７に対応する拡大画像１０３を表示する拡大表示ウィンドウ１００を、即時に生成して表示する。このようにすることで、操作者は、特定の受講者の再現解答用紙を比較したい場合に、所望の比較一覧選択欄９７を複数選択してこれらの拡大画像１０３を並べて表示させることができる。
【００７４】
さらに、集約装置２は、拡大表示ウィンドウ１００の色パレット表示ボタン１０２が選択された場合、画面描画ストロークの色及び線幅を指定するための色パレット１１０を表示し、マウスのドラッグ操作による入力に基づき、指定された色及び線幅により、拡大画像１０３上に画面描画ストロークを描く。これにより、集約装置２は、操作者の操作に基づき拡大画像１０３上に任意のストロークを描画することができると共に、当該ストロークの色及び線幅を操作者に指定させることができる。さらに、集約装置２は、描画アプリケーションウィンドウ上に表示切替ボタン６６を有し、表示切替ボタン６６の選択の有無に基づき、画面描画ストロークの表示及び非表示の切り替えを行う。これにより、集約装置２は、操作者の入力に基づき当該画面描画ストロークの表示及び非表示を切り替えることができる。
【００７５】
さらに、集約装置２は、比較一覧表示のサムネイル９５等の表示範囲を定める指定表示範囲を設定可能にし、指定表示範囲が設定された場合には、再現解答用紙のうち指定表示範囲をサムネイル９５及び拡大表示ウィンドウ１００で表示する。このように、集約装置２は、操作者の操作に基づき、比較一覧表示等の表示態様を柔軟に変更することができる。
【００７６】
［本実施形態の変形例］
次に、本実施形態の変形例について説明する。以下の変形例は、任意に組み合わせて上述の実施形態に適用してもよい。
【００７７】
（変形例１）
図１１、１２等の説明では、集約装置２の集約処理手段２４は、サムネイル９５と共に表示される比較一覧選択欄９７が選択された場合、当該サムネイル９５を拡大した拡大画像１０３を表示した拡大表示ウィンドウ１００を即時に表示した。しかし、本考案に適用可能な表示方法は、これに限定されない。そこで、変形例に係る表示方法について、図１９〜図２１を参照して説明する。
【００７８】
図１９は、変形例に係る描画アプリケーションウィンドウを示す。図１９に示すように、変形例に係る描画アプリケーションウィンドウは、後述するウィンドウメニュー９３を備える。また、変形例に係る比較一覧表示では、本実施形態と同様、集約処理手段２４は、各受講者の解答用紙５Ａ〜５Ｅに対応するサムネイル９５Ａ〜９５Ｅを、名称表示９６Ａ〜９６Ｅ及び比較一覧選択欄９７Ａ〜９７Ｅと共に一覧表示する。図１９では、比較一覧選択欄９７Ａ〜９７Ｅのうち、比較一覧選択欄９７Ａ、９７Ｃが既に選択されている。なお、変形例では、比較一覧選択欄９７が選択された場合であっても、集約処理手段２４は、当該比較一覧選択欄９７に対応するサムネイル９５を拡大表示した拡大表示ウィンドウ１００を即時に表示しない。
【００７９】
図２０は、ウィンドウメニュー９３が選択された場合の描画アプリケーションウィンドウを示す。図２０に示すように、この場合、集約処理手段２４は、ウィンドウメニュー９３のプルダウンメニューを描画アプリケーションウィンドウ上に表示させる。ここでは、ウィンドウメニュー９３のプルダウンメニューとして、「上下に並べて表示」と表記されたメニュー９３０と、「左右に並べて表示」と表記されたメニュー９３１とが設けられている。「上下に並べて表示」と表記されたメニュー９３０は、比較一覧選択欄９７が選択されているサムネイル９５の拡大画像１０３を上下に並べてユーザストローク情報表示領域５０に表示させる際に選択される。「左右に並べて表示」と表記されたメニュー９３１は、比較一覧選択欄９７が選択されているサムネイル９５の拡大画像１０３を左右に並べてユーザストローク情報表示領域５０に表示させる際に選択される。
【００８０】
図２１は、「左右に並べて表示」と表記されたメニュー９３１が選択された場合の描画アプリケーションウィンドウを示す。この場合、集約処理手段２４は、選択されている比較一覧選択欄９７Ａ、９７Ｃに対応するサムネイル９５Ａ、９５Ｃの拡大画像１０３Ａ、１０３Ｃを、重ならないように、同じ大きさで左右に並べてユーザストローク情報表示領域５０に表示している。また、集約処理手段２４は、各拡大画像１０３Ａ、１０３Ｃの近傍に、色パレット１１０を表示させるための色パレット表示ボタン１０２Ａ、１０２Ｃを表示する。これにより、集約装置２の操作者は、色パレット１１０により画面描画ストロークの色及び線幅を選択し、マウス操作により拡大画像１０３Ａ、１０３Ｃ上に任意の画面描画ストロークを描いて表示させることが可能となる。また、この場合、操作者は、表示切替ボタン６６により、画面描画ストロークの表示及び非表示を切り替えることもできる。
【００８１】
このように変形例１では、集約装置２は、メニュー９３０、９３１のいずれかが選択されたタイミングで、これらのメニューの指定に基づき、拡大画像１０３を表示する。これにより、比較一覧選択欄９７の選択時にユーザストローク情報表示領域５０が拡大表示ウィンドウ１００によって遮蔽されないため、操作者は、本実施形態の場合と比較して、所望のサムネイル９５に対する比較一覧選択欄９７を選択する操作を容易に実行できる。
【００８２】
なお、「上下に並べて表示」と表記されたメニュー９３１が選択されたことにより、又は、３つ以上の比較一覧選択欄９７が選択されたことにより、描画する拡大画像１０３がユーザストローク情報表示領域５０よりも大きくなった場合には、集約処理手段２４は、横スクロールバー５１又は／及び縦スクロールバー５２を有効とする。これにより、集約処理手段２４は、操作者のマウス操作によってユーザストローク情報表示領域５０を左右又は／及び上下にスクロールし、全ての拡大画像１０３を複数回に分けて表示できるようにすることができる。
【００８３】
（変形例２）
解答用紙５は、ドットパターンのみが印刷されてもよい。図２２は、変形例に係る解答用紙５の上面図を示す。図２２に示すように、この場合では、受講者ごとに複数枚の解答用紙５が一組用意され、同じ組の解答用紙５には、それぞれ異なる座標範囲のドットパターンが印刷される。
【００８４】
ここで、１人の受講者で複数枚の解答用紙５に電子ペン１により解答を記入した場合の比較一覧表示及びその画面遷移の具体例（第１の例〜第３の例）について図２３を参照して説明する。
【００８５】
図２３（Ａ）は、第１の例に係る比較一覧表示の概要を示す。図２３（Ａ）及び後述する図２３（Ｃ）、（Ｅ）では、便宜上、比較一覧表示においてユーザストローク情報表示領域５０に表示されるサムネイル９５のうち、受講者「太郎」により電子ペン１Ａを用いて記入された２枚の解答用紙５に対応するサムネイル９５Ａｘ、９５Ａｙのみを示す。第１の例では、集約処理手段２４は、受講者「太郎」により電子ペン１Ａを用いて記入された２枚の解答用紙５に対応するサムネイル９５Ａｘ、９５Ａｙを、それぞれ重ならないように左右に並べて表示している。そして、集約処理手段２４は、各サムネイル９５Ａｘ、９５Ａｙに対して、対応する比較一覧選択欄９７Ａｘ、９７Ａｙを設けている。そして、ここでは、図２３（Ａ）に示すように、操作者は、サムネイル９５Ａｘに対応する比較一覧選択欄９７Ａｘを選択したものとする。
【００８６】
図２３（Ｂ）は、第１の例において比較一覧選択欄９７Ａｘが選択された後に表示される拡大表示ウィンドウ１００Ａｘを示す。図２３（Ｂ）に示すように、集約処理手段２４は、比較一覧選択欄９７Ａｘが選択された場合、これに対応するサムネイル９５Ａｘを拡大した拡大画像１０３Ａｘを表示する拡大表示ウィンドウ１００Ａｘを生成する。
【００８７】
図２３（Ｃ）は、第２の例に係る比較一覧表示の概要を示す。第２の例では、集約処理手段２４は、第１の例と同様、受講者「太郎」により電子ペン１Ａを用いて記入された２枚の解答用紙５に対応するサムネイル９５Ａｘ、９５Ａｙを、それぞれ重ならないように左右に並べて表示している。一方、第１の例と異なり、第２の例では、サムネイル９５Ａｘ、９５Ａｙに対して一つの比較一覧選択欄９７Ａのみ設けられている。即ち、第２の例では、同一のユーザＩＤに対応した複数のサムネイル９５が存在する場合であっても、集約処理手段２４は、これらのサムネイル９５に対して一つの比較一覧選択欄９７Ａのみを表示する。
【００８８】
図２３（Ｄ）は、第２の例において比較一覧選択欄９７Ａが選択された後に表示される拡大表示ウィンドウ１００Ａを示す。図２３（Ｄ）に示すように、集約処理手段２４は、比較一覧選択欄９７Ａが選択された場合、これに対応するサムネイル９５Ａｘ、９５Ａｙを拡大した拡大画像１０３Ａｘ、１０３Ａｙを重ねて表示した拡大表示ウィンドウ１００Ａを生成する。そして、第２の例では、拡大表示ウィンドウ１００Ａは、重ねて表示された拡大画像１０３Ａｘ、１０３Ａｙの重なりの順序を変更するためのボタン１２０Ａ、１２１Ａを備える。そして、集約処理手段２４は、マウスによりボタン１２０Ａ又はボタン１２１Ａが選択された場合、最前面に表示する拡大画像１０３を変更する。
【００８９】
図２３（Ｅ）は、第３の例に係る比較一覧表示の概要を示す。第３の例では、第１及び第２の例と異なり、集約処理手段２４は、受講者「太郎」により電子ペン１Ａを用いて記入された２枚の解答用紙５に対応するサムネイル９５Ａｘ、９５Ａｙを、重ねて表示している。そして、第２の例と同様、集約処理手段２４は、サムネイル９５Ａｘ、９５Ａｙに対して一つの比較一覧選択欄９７Ａのみ表示する。そして、比較一覧選択欄９７Ａが選択された場合、第２の例と同様、集約処理手段２４は、図２３（Ｄ）に示すように、対応するサムネイル９５Ａｘ、９５Ａｙを拡大した拡大画像１０３Ａｘ、１０３Ａｙを重ねて表示した拡大表示ウィンドウ１００Ａを生成する。
【００９０】
（変形例３）
図１１、図１３等の説明では、集約装置２は、電子ペン１により生成された記入情報に基づくユーザストローク情報を用いて再現解答用紙の画像を生成し、サムネイル９５や拡大画像１０３として表示した。しかし、本考案が適用可能な構成は、これに限定されない。
【００９１】
これに代えて、集約装置２は、図１１に示す描画アプリケーションの画面では、予め手書きストロークが記入されて電子化された解答用紙などの用紙（帳票）のサムネイルを、比較一覧選択欄等と共に一覧表示してもよい。そして、本実施形態と同様、集約装置２は、比較一覧選択欄が選択された場合、当該比較一覧選択欄に対応するサムネイルを拡大表示したウィンドウを新たに生成して表示画面上に表示する。
【００９２】
（変形例４）
上記実施形態において、電子ペン、ドットパターン（コード化パターン）、記入情報に、アノト方式を用いたが、アノト方式に限られなくともよい。
【符号の説明】
【００９３】
１（１Ａ〜１Ｅ）…電子ペン
２…集約装置
３…転送装置
４…プロジェクタ
５（５Ａ〜５Ｅ）…解答用紙
６…スクリーン
１０…電子ペンシステム
２０…範囲指定手段
２１…入力手段
２２…集約個別受信手段
２３…集約転送受信手段
２４…集約処理手段
２５…記憶手段
２６…表示手段
２７…送信手段
【図２】
0003169604.tif 000003
【図４】
0003169604.tif 000004
【図５】
0003169604.tif 000005
【図６】
0003169604.tif 000006
【図７】
0003169604.tif 000007
【図８】
0003169604.tif 000008
【図９】
0003169604.tif 000009
【図２２】
0003169604.tif 000010
【図２３】
0003169604.tif 000011
【図１】
0003169604.tif 000012
【図３】
0003169604.tif 000013
【図１０】
0003169604.tif 000014
【図１１】
0003169604.tif 000015
【図１２】
0003169604.tif 000016
【図１３】
0003169604.tif 000017
【図１４】
0003169604.tif 000018
【図１５】
0003169604.tif 000019
【図１６】
0003169604.tif 000020
【図１７】
0003169604.tif 000021
【図１８】
0003169604.tif 000022
【図１９】
0003169604.tif 000023
【図２０】
0003169604.tif 000024
【図２１】
0003169604.tif 000025